(57)【要約】【課題】携帯式電子機器の放熱装置を提供する。【解決手段】金属シート１は、一つ以上の溝部１１が一体にプレス加工により形成されている。溝部１１の一方の側壁または両方の側壁に突起部１１１が形成されており、かつヒートパイプ２の形状に合わせて形成れている。ヒートパイプ２は、扁平の板状に形成されており、金属シート１の溝部に対応しており、溝部１１に嵌合可能である。金属シート１とヒートパイプ２とは、ヒートパイプ２が溝部１１に嵌め込まれた後、溝部１１の一方の側壁または両方の側壁の突起部１１１が加圧され変形し、ヒートパイプ２が変形した後の突起部１１１に埋め込まれ突起部１１１に覆われることで、ヒートパイプ２の露出面と金属シート１の表面とが面一となる。【選択図】図１
2015137848.tif 000002
【特許請求の範囲】
【請求項１】
金属シートと、一つ以上のヒートパイプとを備え、
前記金属シートは、プレス加工により一体成形されており、一つ以上の溝部を有し、前記溝部の一方の側壁または両方の側壁に突起部が形成されており、前記溝部の形状が前記ヒートパイプの形状に対応しており、
前記ヒートパイプは、前記金属シートの前記溝部に嵌め込まれており、
前記金属シートと前記ヒートパイプとは、前記ヒートパイプが前記溝部に嵌め込まれた後、前記溝部の一方の側壁または両方の側壁の前記突起部が加圧され変形し、前記ヒートパイプが変形した後の前記突起部に埋め込まれ前記突起部に覆われることで、緊密な結合を形成することを特徴とする携帯式電子機器の放熱装置。
【請求項２】
前記ヒートパイプの露出面と前記金属シートの表面とが面一になることを特徴とする請求項１記載の携帯式電子機器の放熱装置。
【請求項３】
前記ヒートパイプは吸熱端が前記携帯式電子機器の発熱素子に直接に接触されていることを特徴とする請求項１記載の携帯式電子機器の放熱装置。
【請求項４】
前記ヒートパイプはＩ字状に形成されていることを特徴とする請求項１記載の携帯式電子機器の放熱装置。
【請求項５】
前記ヒートパイプはＬ字状に形成されていることを特徴とする請求項１記載の携帯式電子機器の放熱装置。
【請求項６】
前記ヒートパイプはＵ字状に形成されていることを特徴とする請求項１記載の携帯式電子機器の放熱装置。
【請求項７】
前記ヒートパイプは扁平の板状に形成されていることを特徴とする請求項１記載の携帯式電子機器の放熱装置。
【発明の詳細な説明】
【技術分野】
【０００１】
本発明は、放熱装置に関し、特に金属シートと、一つ以上のヒートパイプとが結合することで形成される携帯式電子機器の放熱装置に関する。
【背景技術】
【０００２】
従来の携帯式電子機器は、携帯電話機、ノートパソコン、タブレットＰＣ、ｉＰａｄ（登録商標）、ＰＤＡ、ＧＰＳなどを含む。携帯式電子機器は、科学の発展に伴い発展している。携帯式電子機器は、体積と外観とがよりフラット、より薄く、コンパクトになり、演算機能がますます高くなっている。よって、内部の中央演算処理装置（ＣＰＵ）と集積回路（ＩＣ）などの素子が作動するとき、高熱を発生する。よって、発熱素子の正常な作動を確保し、使用寿命を維持するため、放熱装置が設けられている。
【先行技術文献】
【特許文献】
【０００３】
【特許文献１】特開２００７−１６２５２５号公報
【発明の概要】
【発明が解決しようとする課題】
【０００４】
従来の携帯式電子機器の放熱装置は、体積のフラット化、コンパクト化の制限を受けるため、金属シートが直接に中央演算装置または集積回路などの発熱素子に接触し、発熱素子の高い熱を金属シートに伝達させ金属シートを介して放熱する。しかし、このような放熱装置の放熱が遅く、高い熱を素早く排出することができない。熱エネルギーが堆積した結果、装置のフリーズまたは素子が損傷するおそれがある。
本発明の主な目的は、携帯式電子機器の放熱装置を提供する。
【課題を解決するための手段】
【０００５】
本発明による携帯式電子機器の放熱装置は、金属シートと一つ以上のヒートパイプとを備える。金属シートは、プレス加工により一体成形されており、一つ以上の溝部を有し、溝部の一方の側壁または両方の側壁に突起部が形成されており、溝部の形状がヒートパイプの形状に対応している。ヒートパイプは、金属シートの溝部に嵌め込まれている。金属シートとヒートパイプとは、ヒートパイプが溝部に嵌め込まれた後、溝部の一方の側壁または両方の側壁の突起部が加圧され変形し、ヒートパイプが変形した後の突起部に埋め込まれ突起部に覆われることで、緊密な結合を形成する。
ヒートパイプと発熱素子とを貼り合わせ接触させることによって、熱エネルギーを金属シートにすばやく伝達し、熱エネルギーの蓄積を有効に防止し放熱効率を向上させ、携帯式電子機器のフリーズまたは素子の損傷を避けることができる。
【０００６】
また、ヒートパイプは、扁平な板状に形成されており、溝部に嵌め込んだ後、ヒートパイプの露出面と金属シートの表面とが面一となり、安定的な隠しはめ込みを形成する。本発明によれば、容易に製造可能であるほか、コストが安く、半田付け手段に頼らず、緊密な結合効果を達成することができる。
【０００７】
また、金属シートの溝部は、Ｉ字状、Ｌ字状、或いはＵ字状のヒートパイプの形状に合わせて形成されており、プレス加工により金属シートと一体に成形できる。
【図面の簡単な説明】
【０００８】
【図１】本発明の第一実施形態による携帯式電子機器の放熱装置を示す分解斜視図である。
【図２】本発明の第一実施形態による携帯式電子機器の放熱装置を示す斜視図である。
【図３】本発明の第一実施形態による携帯式電子機器の放熱装置を示す断面図である。
【図４】本発明の第一実施形態による携帯式電子機器の放熱装置を示す斜視図である。
【図５】本発明の第一実施形態による携帯式電子機器の放熱装置を示す断面図である。
【図６】本発明の第一実施形態による携帯式電子機器の放熱装置の応用状態を示す分解斜視図である。
【図７】本発明の第２実施形態の第一実施形態による携帯式電子機器の放熱装置を示す平面図である。
【図８】本発明の第３実施形態の第一実施形態による携帯式電子機器の放熱装置を示す平面図である。
【図９】本発明の第４実施形態の第一実施形態による携帯式電子機器の放熱装置を示す平面図である。
【図１０】本発明の第５実施形態の第一実施形態による携帯式電子機器の放熱装置を示す平面図である。
【発明を実施するための形態】
【０００９】
（第一実施形態）
図１〜５に示すように、本発明の第一実施形態による携帯式電子機器の放熱装置は、金属シート１と、一つ以上のヒートパイプ２とを備える。
【００１０】
そのうち、金属シート１は、図１に示すように、優れた放熱効果を有する金属シートにより形成され、一つ以上の溝部１１が一体にプレス加工により形成されている。溝部１１の一方の側壁または両方の側壁に突起部１１１が形成されており、かつヒートパイプ２の形状に合わせて形成れている。
【００１１】
ヒートパイプ２は、扁平の板状に形成されており、金属シート１の溝部に対応しており、溝部１１に嵌合可能である（図２に示す）。
【００１２】
前述金属シート１とヒートパイプ２とは、ヒートパイプ２が溝部１１に嵌め込まれた後、溝部１１の一方の側壁または両方の側壁の突起部１１１が加圧され変形し（図３の矢印に示す力のいれ方向）、ヒートパイプ２が変形した後の突起部１１１に埋め込まれ突起部１１１に覆われることで（図４、図５に示す）、ヒートパイプ２の露出面２１と金属シート１の表面とが面一となる。よって、安定な隠し嵌め込みが形成される。
【００１３】
図６に示すように、本実施形態の放熱装置を携帯電話機に適用する応用例を説明する。携帯電話機は、上蓋３１と、底蓋３２と、中央演算装置（及び集積回路等）を取り付けられている電子回路板３３とを含む。電子回路板３３は発熱素子３３１である。本実施形態の放熱装置は、金属シート１と一つ以上のヒートパイプ２とを備える。そのうち、ヒートパイプ２は熱吸収端が発熱素子３３１に直接に接触している。よって熱エネルギーをすばやく金属シート１に伝達し、すばやく放熱ることによって、熱エネルギーの蓄積を避けると共に放熱効率を有効に向上し、携帯式電子機器のフリーズまたは素子の損傷を避けることができる。
【００１４】
（第二実施形態）
図７に示すように、本発明の第二実施形態では、金属シート１は、２つのヒートパイプ２と結合する。金属シート１には、プレス加工により２つの溝部１１が一体に形成されている。２つのヒートパイプ２は、同時にそれぞれ溝部１１に嵌め込まれ、緊密な結合を形成する。
【００１５】
（第三〜第五実施形態）
図８〜１０に示すように、本発明の第三〜第五実施形態では、ヒートパイプは、Ｌ字状またはＵ字状に形成されている。Ｌ字状のヒートパイプ２ａまたはＵ字状のヒートパイプ２ｂ、金属シート１の溝部１１に嵌め込まれ、プレス加工により金属シート１と１体になる。また、二つのＬ字状のヒートパイプ２ａと金属シート１とを結合してもよい。
本発明の溝部１１は、形状、大きさまたはその配置位置が、各種のヒートパイプ２、２ａ、２ｂの形状に対応している。よって、上述の実施形態は、本発明の一例に過ぎず、本発明を制限するものではない。等効果の応用または簡単な変更は、本発明の特許請求の範囲に含まれるものとする。
【符号の説明】
【００１６】
１  金属シート、
２  ヒートパイプ、
１１  溝部、
１１１  突起部、
２１  露出面、
３１  上蓋、
３２  下蓋、
３３１  発熱素子、
３３  電子回路板、
２ａ  Ｌ字状ヒートパイプ、
２ｂ  Ｕ字状ヒートパイプ。
【図１】
2015137848.tif 000003
【図２】
2015137848.tif 000004
【図３】
2015137848.tif 000005
【図４】
2015137848.tif 000006
【図５】
2015137848.tif 000007
【図６】
2015137848.tif 000008
【図７】
2015137848.tif 000009
【図８】
2015137848.tif 000010
【図９】
2015137848.tif 000011
【図１０】
2015137848.tif 000012